(57)【要約】【課題】ハロゲンランプから出る可視領域の赤色光を照明光の一部として利用するエネルギー効率に優れると共に、暖房器具が必要な寒冷期においては、赤色領域の光を多く含有する暖色系の光を多く照射するようにした暖房機能付き照明器具を提供する。【解決手段】リング形状のハロゲンランプと、前記ハロゲンランプから照射される赤外線を含む熱線を前方方向に反射するドーム形状の反射板と、前記ハロゲンランプのリング中央部に置かれる電灯ランプと、を備えたことを特徴とする暖房機能付き照明器具を提供するものである。ここで、前記電灯ランプの周囲には、当該電灯ランプを保護すると共に横方向の照射光を前方側に反射するためのランプカバーが設置される。【選択図】図１
0003125122.tif 000002
【実用新案登録請求の範囲】
【請求項１】
暖房機能と共に照明機能を兼ね備えた暖房機能付き照明器具であって、
リング形状のハロゲンランプと、
前記ハロゲンランプから照射される赤外線を含む熱線を前方方向に反射するドーム形状の反射板と、
前記ハロゲンランプのリング中央部に置かれる電灯ランプと、
を備えたことを特徴とする暖房機能付き照明器具。
【請求項２】
前記電灯ランプの周囲には、当該電灯ランプを保護すると共に横方向の照射光を前方側に反射するためのランプカバーが設置されていることを特徴とする請求項１に記載の暖房機能付き照明器具。
【請求項３】
第１の状態では前記ハロゲンランプの点灯、第２の状態では前記電灯ランプの点灯、第３の状態では前記ハロゲンランプ及び前記電灯ランプの点灯、の三状態を選択するための切替スイッチを備えたことを特徴とする請求項１又は２に記載の暖房機能付き照明器具。
【請求項４】
前記照明器具は、さらに、接地電位を有する円板状のＧＮＤ電極と、リング形状を有し接地電位に対して負電位が印加される負電極と、から成るマイナスイオン発生手段を備えたことを特徴とする請求項１に記載の暖房機能付き照明器具。
【請求項５】
前記リング形状の負電極に印加される前記負電位の値は、マイナス５乃至１０〔ＫＶ〕であることを特徴とする請求項４に記載の暖房機能付き照明器具。
【請求項６】
前記負電位の値は、その中心値がマイナス８〔ＫＶ〕であることを特徴とする請求項５に記載の暖房機能付き照明器具。
【請求項７】
前記負電位は、振幅が最大２〔ＫＶ〕の脈流分を含むことを特徴とする請求項５又は６に記載の暖房機能付き照明器具。
【請求項８】
前記マイナスイオン発生手段の駆動は、単独に切換可能なスイッチによりオン／オフされることを特徴とする請求項４に記載の暖房機能付き照明器具。
【請求項９】
前記ＧＮＤ電極は、前記反射板であることを特徴とする請求項４に記載の暖房機能付き照明器具。
【請求項１０】
前記負電極は、前記ランプカバーの内側に設置されていることを特徴とする請求項９に記載の暖房機能付き照明器具。
【請求項１１】
前記負電極と前記ＧＮＤ電極を兼ねる前記反射板は、鉄、銅、真鍮、ニッケル、アルミニウム、又はステンレス若しくはこれらの金属の合金により構成されていることを特徴とする請求項１０に記載の暖房機能付き照明器具。
【考案の詳細な説明】
【技術分野】
【０００１】
本考案は、暖房機能付き照明器具に係り、特に、発熱源としてハロゲンランプを使用した暖房機能付き照明器具に関する。
【背景技術】
【０００２】
近年、暖房器具の発熱源として、従来のニクロム線に替わって、寿命が長く熱エネルギーへの変換効率が高いハロゲンランプが利用されるようになっている。このハロゲンランプは、蒸発したタングステンが管内壁に付着しないようになっているため、長寿命であって寿命末期まで赤外線領域における発光効率が低下しない特性があり暖房の指向性を有する効果的な熱源として有用である。
【０００３】
一方、健康生活（エコライフ）を充実させる器具として、マイナスイオン発生装置が開発されており、マイナスイオン発生装置として単独で使用される他、このマイナスイオン発生装置を他の装置に取り付けた製品も提案されている。
【０００４】
このような例として、マイナスイオン発生装置を照明器具に取り付けたものとしては、横長の蛍光灯を使用するスタンド型照明器具内にマイナスイオン発生装置を取り付けたものが提案されている（例えば、特許文献１及び２参照）。また、スタンド照明器具に取り付けるマイナスイオン発生装置に、照明用の発光を照射することによりマイナスイオンを発生するトルマリン（電気石）を使用したものが提案されている（例えば、特許文献３及び４参照。）。
【特許文献１】特開２００３−２５７２３４公報
【特許文献２】特開２００４−１２７６４８公報
【特許文献３】特開２００４−６１６７公報
【特許文献４】特開２００４−２４１３２６公報
【考案の開示】
【考案が解決しようとする課題】
【０００５】
しかし、上記した特性を有するハロゲンランプは、暖房器具としてのみ使用さており、有用で温かみを感じさせる有効な可視領域の赤色領域光を発色しているにも拘わらず、これを積極的に利用されていなかった。また、当然ながらこのような暖房器具は、寒冷期以外の季節では設置場所だけを占有する不用品となる。
【０００６】
ところで、暖房器具が使用される場所は屋内であることから、当然のことながら照明器具も同時に使用される。しかし、最近の照明器具の多くは、青色領域の光量が多く赤色領域の光量が少ないことから太陽光と比較して全体的にバランスに欠けている場合が多い。特に、暖房器具が必要な寒冷期においては、多くの人にとり、屋内照明においては赤色領域の光を多く含有する暖色系の光が好ましく感じられる。
【０００７】
このため、本考案は、暖房が必要な寒冷期において、暖房機能を兼ね備えた照明器具を提供するものであって、長寿命であり熱エネルギーへの変換効率が高いハロゲンランプを使用すると共に、ハロゲンランプから照射される可視領域の赤外線光を照明に利用する暖房機能付き照明器具の提供を目的とするものである。
【０００８】
また、本考案の他の目的は、このような暖房機能付き照明器具に、さらに、健康増進効果の高いマイナスイオンを効率よく発生させるマイナスイオン発生手段を兼ね備えた暖房機能付き照明器具を提供することを目的とする。
【課題を解決するための手段】
【０００９】
このため、本考案は、暖房機能と共に照明機能を兼ね備えた暖房機能付き照明器具であって、リング形状のハロゲンランプと、前記ハロゲンランプから照射される赤外線を含む熱線を前方方向に反射するドーム形状の反射板と、前記ハロゲンランプのリング中央部に置かれる電灯ランプと、を備えたことを特徴とする暖房機能付き照明器具を提供するものである。ここで、前記電灯ランプの周囲には、当該電灯ランプを保護すると共に横方向の照射光を前方側に反射するためのランプカバーが設置されていることを特徴とする。
【００１０】
そして、第１の状態では前記ハロゲンランプの点灯、第２の状態では前記電灯ランプの点灯、第３の状態では前記ハロゲンランプ及び前記電灯ランプの点灯、の３状態を選択するための切替スイッチを備える。
【００１１】
本考案に係る照明器具は、さらに、接地電位を有する円板状のＧＮＤ電極と、リング形状を有し接地電位に対して負電位が印加される負電極と、から成るマイナスイオン発生手段を備える。ここで、前記リング形状の負電極に印加される前記負電位の値は、マイナス５乃至１０〔ＫＶ〕であり、前記負電位の値は、その中心値がマイナス８〔ＫＶ〕である。また、前記負電位は、振幅が最大２〔ＫＶ〕の脈流分を含むことを特徴とする。そして、前記マイナスイオン発生手段の駆動は、単独に切換可能なスイッチによりオン／オフされる。
【００１２】
ところで、前記ＧＮＤ電極は、前記反射板であり、前記負電極は、前記ランプカバーの内側に設置される。そして、前記負電極と前記ＧＮＤ電極を兼ねる前記反射板は、鉄、銅、真鍮、ニッケル、アルミニウム、又はステンレス若しくはこれらの金属の合金により構成されているのである。
【考案の効果】
【００１３】
本考案に係る暖房機能付き照明器具においては、ハロゲンランプから照射される赤外線領域光を含む熱線を暖房手段として利用するだけでなく、ハロゲンランプから出る可視領域の赤色光を照明光の一部として利用するエネルギー効率に優れると共に、暖房器具が必要な寒冷期においては、赤色領域の光を多く含有する暖色系の光を多く照射するようにした照明装置を提供することを可能にしたのである。
【００１４】
また、本考案は、このような暖房機能付き照明器具に、さらに、健康増進効果の高いマイナスイオンを効率よく発生させるマイナスイオン発生手段を兼ね備えた暖房機能付き照明器具を提供することができたのである。
【考案を実施するための最良の形態】
【００１５】
以下、本考案の暖房機能付き照明器具の最良の実施形態について、図面を参照して詳細に説明する。
【００１６】
図１は、本考案の実施形態に係る暖房機能付き照明器具の全体的な外観を示す斜視図である。図１に示す暖房機能付き照明器具は、電気系統を構成する要素として、接地電位（即ち０〔Ｖ〕）を有する円板状のＧＮＤ電極１と、リング形状を有し、かつ接地電位に対して負の電位を有するＧＮＤ電極１上の負電極２と、負電極２の外周部を取り囲むリング形状を有するハロゲンランプ３と、ハロゲンランプ３のリング中央部に置かれる電灯ランプ４と、電灯ランプ４の胴体回りに設置されて電灯ランプ４を保護するランプカバー５と、を備え、この他に、機械系統を構成する要素として、全体を取り囲む胴体板１１と、電灯ランプ４の下部及び昇圧回路（図３）を収納する底箱１２と、ハロゲンランプ３からの輻射熱及び電灯ランプ４の照明光を反射させる反射板１４と、前記の電気系統をカバーする保護柵１５と、化粧板を兼ねた保護板１６と、ハロゲンランプ３／電灯ランプ４及び負電極２の帯電を切り替える切替スイッチ１７と、電力を供給するための電源プラグ１８と、を備える。この他に、電源スイッチ（図示は省略）を設けることができる。
【００１７】
ＧＮＤ電極１及び負電極２は、オプショナルな構成要素であり、省略することも可能である。そして、このＧＮＤ電極１及び負電極２は、鉄、銅、真鍮、ニッケル、アルミニウム、ステンレス、等の金属を素材として構成される。ここで、ＧＮＤ電極１及び負電極２は、ランプカバー５を取り囲むようにして設置される。
【００１８】
ところで、ハロゲンランプ３は、ハロゲンランプを用いて構成される。ハロゲンランプ３は、ランプカバー５を取り囲むようにして設置される。また。電灯ランプ４は、タングステンを使用した白熱ランプ、若しくはハロゲンランプで構成することができる。この電灯ランプ４の照明光を真正面に反射させる場合は、反射板１４の鏡面を放物面として形成し、電灯ランプ４をその焦点に配置すればよいが、一般に、電灯ランプ４の照明光は、真正面よりも少し回りに拡散させることが好ましいので、必ずしもこの限りではない。
【００１９】
底箱１２は、電灯ランプ４の下部構造及び昇圧回路（図３参照）を収納すると共に、これらを外部から保護するものとする。反射板１４は、アルミニウム、ニッケル、ステンレス等を素材として構成されるが、金属メッキを施すこと、若しくはガラス材等でコーティングすることが好ましい。
【００２０】
切替スイッチ１７は、例えば、状態１／状態２／状態３の３状態をとる３状態切替型とし、この場合、例えば、状態１ではハロゲンランプ３の発熱、状態２では電灯ランプ４の発光、状態３ではハロゲンランプ３の発熱及び電灯ランプ４の発光を、それぞれ行わせることができる。
【００２１】
または、切替スイッチ１７は、例えば、状態１／状態２／状態３の他に、後に説明するマイナスイオン発生手段の起動を単独でオン／オフするスイッチを設けるようにする。この場合、切替スイッチ１７の他のスイッチとして電源スイッチを設置せずに、切替スイッチ１７に、もう１状態を追加し、この追加された状態を電力供給停止状態とすること（即ち、電源スイッチを兼ねること）ができる。
【００２２】
ところで、ランプカバー５、保護柵１５、及び保護板１６は、前記の電気系統をカバーする機能を有すると共に、使用者の身体の一部（手等）がハロゲンランプ３や電灯ランプ４に直接触れることを防止する機能も有している。
【００２３】
負電極２には、ＧＮＤ電極１に対して、例えば、平均して約−８〔ＫＶ〕の電位が印加される。この電位は直流電位または脈流電位のいずれであってもよい。
【００２４】
電源プラグ１８は、商用電源を供給するコンセントに挿入される。この商用電源は、家庭用または工業用のいずれの商用電源であってもよい。そして、底箱１２の底部には、本暖房機能付き照明器具を天井等から吊り下げるために必要な鎖のフックを係留するための留め穴を設置することができる。
【００２５】
また、本暖房機能付き照明器具の他の使用形態では、底箱１２は、台座（図示は省略）またはスタンド（図示は省略）に取り付けられる。
【００２６】
図２は、本考案の実施形態に係る暖房機能付き照明器具におけるマイナスイオンの発生状況を示す説明図である。図２において、負電極２に、ＧＮＤ電極１に対して、例えば、−８〔ＫＶ〕の電位が印加された場合、同図に示す状態のマイナスイオン２１が発生する。このマイナスイオン２１は、負電極２とＧＮＤ電極１との高い電位差によって発生するものであり、この電位差によって生じる負電極２からＧＮＤ電極１に向かう電束（電気力線）に沿って発生するものである。
【００２７】
このように、本考案に係る照明器具は、接地電位を有する円板状のＧＮＤ電極１と、リング形状を有し接地電位に対して負電位が印加される負電極（マイナス電極）２と、から成るマイナスイオン発生手段を備える。
【００２８】
ここで、リング形状の負電極２に印加される負電位の値は、マイナス５乃至１０〔ＫＶ〕であるが、その中心値がマイナス８〔ＫＶ〕であって、振幅が最大２〔ＫＶ〕の脈流分を含む。これによって、マイナスイオンが効率よく発散されるのである。
【００２９】
ここで、このＧＮＤ電極１は、ハロゲンランプ３の反射板１４とし、負電極２は、前記ランプカバーの内側に設置されているようにするとよい。そして、この負電極２とＧＮＤ電極を兼ねる反射板１４は、鉄、銅、真鍮、ニッケル、アルミニウム、又はステンレス若しくはこれらの金属の合金により構成される。
【００３０】
図３は、本実施の形態に係るマイナスイオン発生装置付き照明器具の電極に印加される負の高電圧を発生させる昇圧回路を示す回路図であり、図３（ａ）は、トランス式の昇圧回路を示し、図３（ｂ）は、チョッパー式の昇圧回路を示す。
【００３１】
図３（ａ）に示すトランス式の昇圧回路の場合、ＡＣ１００〔Ｖ〕電源の電圧は、変圧器Ｔ１で昇圧され、高耐圧の整流器を構成するダイオードＤ１，Ｄ２，Ｄ３を介して整流され、電流量を制限するための抵抗Ｒ１を介して取り出され、さらに、コンデンサＣ１で安定化されることにより、ＧＮＤ電極１に印加されるアース電位（ＧＮＤ）と、負電極２に印加される前記アース電位に対する負電位（ここでは−８〔ＫＶ〕）とが出力される。
【００３２】
図３（ｂ）に示すチョッパー式の昇圧回路の場合、ＡＣ１００〔Ｖ〕電源の電圧は、変圧器Ｔ２を介して、両波整流器を構成するダイオードＤ１，Ｄ２，Ｄ３，Ｄ４を介して整流され、コンデンサＣ２で安定化されると共に、コイルＬ１、パルス回路ＰＧ、及びトランジスタＴｒ１で構成されるチョッパー回路で昇圧され、さらに、高耐圧の整流器を構成するダイオードＤ１，Ｄ２，Ｄ３を介して整流された後、コンデンサＣ３で安定化されることにより、ＧＮＤ電極１に印加されるアース電位（ＧＮＤ）と、負電極２に印加される前記接地電位に対する負電位（ここでは−８〔ＫＶ〕）とが出力される。
【００３３】
なお、負電極２に印加される前記アース電位に対する負電位は、例えば、−８〔ＫＶ〕と、高圧の負電位であるが、出力側から見てハイインピーダンスの回路となっているため、電流量が僅少となるように制限されるので、人体が誤って触れたとしても無害である。
【００３４】
このように、本考案に係る暖房機能付き照明器具であって、リング形状のハロゲンランプ３と、このハロゲンランプ３から照射される赤外線を含む熱線を前方方向に反射するドーム形状の反射板１４と、ハロゲンランプ３のリング中央部に配置される電灯ランプ４と、を備えたことを特徴とし、電灯ランプ４の周囲には、当該電灯ランプを保護すると共に横方向の照射光を前方側に反射するためのランプカバー５が設置される。
【００３５】
これにより、ハロゲンランプから照射される赤外線領域光を含む熱線を暖房手段として利用するだけでなく、ハロゲンランプから出る可視領域の赤色光を照明光の一部として利用するエネルギー効率に優れると共に、暖房器具が必要な寒冷期においては、赤色領域の光を多く含有する暖色系の光を多く照射するようにしたのである。
【００３６】
また、本考案は、このような暖房機能付き照明器具に、さらに、健康増進効果の高いマイナスイオンを効率よく発生させるマイナスイオン発生手段を兼ね備えた暖房機能付き照明器具を提供することができたのである。
【産業上の利用可能性】
【００３７】
本考案は、暖房機能付き照明器具に係り、特に、発熱源としてハロゲンランプを使用した暖房機能付き照明器具に関するものであり、産業上の利用可能性を有する。
【図面の簡単な説明】
【００３８】
【図１】本考案の実施形態に係る暖房機能付き照明器具の全体的な外観を示す斜視図である。
【図２】本考案の実施形態に係る暖房機能付き照明器具におけるマイナスイオンの発生状況を示す説明図である。
【図３】本実施の形態に係るマイナスイオン発生装置付き照明器具の電極に印加される負の高電圧を発生させる昇圧回路を示す回路図であり、（ａ）は、トランス式の昇圧回路を示し、（ｂ）は、チョッパー式の昇圧回路を示す。
【符号の説明】
【００３９】
１  ＧＮＤ電極
２  負電極（マイナス電極）
３  ハロゲンランプ
４  電灯ランプ
５  ランプカバー
１１  胴体板
１２  底箱
１４  反射板（ＧＮＤ電極を兼ねる）
１５  保護柵
１６  保護板
１７  切替スイッチ
１８  電源プラグ
【図１】
0003125122.tif 000003
【図２】
0003125122.tif 000004
【図３】
0003125122.tif 000005